(57)【要約】【課題】食器洗い乾燥機、冷蔵庫等の設備機器で扉前面へ枠体で化粧パネルを固着する設備機器が他のキャビネットと横のラインを合わせることができ、意匠性を高めることができる横ライン形成パネルと化粧パネルとの設備機器の扉前面への取付構造を提供する。【解決手段】他のキャビネットの引出やガスレンジのラインと位置合わせするために、横ライン形成パネル５を配設するものである。キッチンキャビネット１間に設けられる食器洗い乾燥機２等の設備機器３の扉前面４に少なくとも１枚の横ライン形成パネル５を配設して、化粧パネル６とともに横ライン形成パネル５と化粧パネル６の側端部を枠体７で固着する。食器洗い乾燥機２等の設備機器３は、食器洗い乾燥機２の他、冷蔵庫、ガスレンジ等カウンターの下部にビルドインされる設備機器で化粧パネル６で扉表面を他のキャビネットの面材と合わせる設備機器３である。【選択図】　　　図１
2004016604.tif 000002
【特許請求の範囲】
【請求項１】
キッチンキャビネット間に設けられる食器洗い乾燥機等の設備機器の扉前面に少なくとも１枚の横ライン形成パネルを配設して、化粧パネルとともに横ライン形成パネルと化粧パネルの側端部を枠体で固着することを特徴とする横ライン形成パネルと化粧パネルとの設備機器の扉前面への取付構造。
【請求項２】
上記横ライン形成パネル本体の下端を除く周縁に一段下がった段部を設けた横ライン形成パネルと該横ライン形成パネルの下端部に挿着される四角形状の化粧パネルとを用い、設備機器本体の扉の上部前板に横ライン形成パネルの上段部を挿着し、且つ横ライン形成パネルの下端部に化粧パネルの上側端部を挿入するとともに、前記接続された横ライン形成パネルと化粧パネルの側端部を略Ｕ字状をした枠体で挟持し設備機器の扉前面に固着することを特徴とする横ライン形成パネルと化粧パネルとの設備機器の扉前面への取付構造。
【請求項３】
上記横ライン形成パネル本体の裏面側の上下側端部に横方向に連続する切欠部を設けた横ライン形成パネルと該横ライン形成パネルの上端部に挿着される四角形状の第１化粧パネルと該横ライン形成パネルの下端部に挿着される四角形状の第２化粧パネルとを用い、横ライン形成パネルの上端部に第１化粧パネルの下側端部を挿入し、且つ横ライン形成パネルの下端部に第２化粧パネルの上側端部を挿入するとともに、前記接続された横ライン形成パネルと第１化粧パネルと第２化粧パネルとの側端部を略Ｕ字状をした枠体で挟持し設備機器の扉前面に固着することを特徴とする横ライン形成パネルと化粧パネルとの設備機器の扉前面への取付構造。
【発明の詳細な説明】
【０００１】
【発明の属する技術分野】
本発明は、キッチンキャビネットに設けられる食器洗い乾燥機等の設備機器における、横ライン形成パネルと化粧パネルとの設備機器の扉前面への取付構造に関する。
【０００２】
【従来の技術】
従来より、図８及び図９に示すように、キッチンキャビネット３１間の食器洗い乾燥機３２、冷蔵庫等の設備機器３３の扉前面へ化粧パネル３５を取り付ける構造の設備機器３３では、他のキャビネット３１の扉や取っ手とライン３４が揃わないという問題がある。
【０００３】
例えば食器洗い乾燥機３２の場合、食器洗い乾燥機能や食器の収納容量等の関係で扉の高さ寸法が決まっており、化粧パネル３５の高さ寸法も大きく、他のキャビネット３１の扉や取っ手とライン３４が揃うように任意の高さにすることができなかった。
【０００４】
また、図１０に示すように、食器洗い乾燥機、冷蔵庫等の設備機器３３の扉前面への化粧パネル３５の取り付けは、扉を少し引き出し、枠体３７の左右の４か所のネジ４０を外し、下辺の３か所のネジ４０をゆるめて、枠体３７を手前に引き外方向へ少し広がる状態にし、四角形状の１枚の化粧パネル３５を枠体３７と扉３９の間に挿入し、枠体３７の下方を持ち上げて、化粧パネル３５を扉上部の溝部にはさみ、左右４か所のネジ４０を止める。
【０００５】
【発明が解決しようとする課題】
本発明は、上記の問題点を解消するためのもので、食器洗い乾燥機、冷蔵庫等の設備機器で扉前面へ枠体で化粧パネルを固着する設備機器が他のキャビネットと横のラインを合わせることができ、意匠性を高めることができる横ライン形成パネルと化粧パネルとの設備機器の扉前面への取付構造を提供するものである。
【０００６】
【課題を解決するための手段】
本発明の請求項１記載の取付構造は、キッチンキャビネット間に設けられる食器洗い乾燥機等の設備機器の扉前面に少なくとも１枚の横ライン形成パネルを配設して、化粧パネルとともに横ライン形成パネルと化粧パネルの側端部を枠体で固着することを特徴とする。
【０００７】
このものにあっては、横ライン形成パネルと化粧パネルとの色柄、材質、表面の艶等を異なるようにして、横ライン形成パネルと化粧パネルとの間に境界ラインができ、他のキャビネットと横のラインを合わせることができ、キャビネット全体の外観の意匠性を高めることができる。
【０００８】
本発明の請求項２に記載の横ライン形成パネルと化粧パネルとの設備機器の扉前面への取付構造は、横ライン形成パネル本体の下端を除く周縁に一段下がった段部を設けた横ライン形成パネルと該横ライン形成パネルの下端部に挿着される四角形状の化粧パネルとを用い、設備機器本体の扉の上部前板に横ライン形成パネルの上段部を挿着し、且つ横ライン形成パネルの下端部に化粧パネルの上側端部を挿入するとともに、前記接続された横ライン形成パネルと化粧パネルの側端部を略Ｕ字状をした枠体で挟持し設備機器の扉前面に固着することを特徴とする。
【０００９】
このものにあっては、横ライン形成パネルと化粧パネルとの境界ラインを、横ライン形成パネルが化粧パネルから突出した状態で形成し、境界ラインに陰影ができラインが引き立つため、他のキャビネットと横のラインをはっきりと合わせることができ、キャビネット全体の外観の意匠性を高めることができる。また、横ライン形成パネルを他のキャビネットと横のラインに合わせて上下方向に微調整ができ、施工状態に対応して横のライン合わせができ、意匠性の向上ができる。
【００１０】
本発明の請求項３に記載の横ライン形成パネルと化粧パネルとの設備機器の扉前面への取付構造は、上記横ライン形成パネル本体の裏面側の上下側端部に横方向に連続する切欠部を設けた横ライン形成パネルと該横ライン形成パネルの上端部に挿着される四角形状の第１化粧パネルと該横ライン形成パネルの下端部に挿着される四角形状の第２化粧パネルとを用い、横ライン形成パネルの上端部に第１化粧パネルの下側端部を挿入し、且つ横ライン形成パネルの下端部に第２化粧パネルの上側端部を挿入するとともに、前記接続された横ライン形成パネルと第１化粧パネルと第２化粧パネルとの側端部を略Ｕ字状をした枠体で挟持し設備機器の扉前面に固着することを特徴とする。
【００１１】
このものにあっては、上部の第１化粧パネルと下部の第２化粧パネルとの色柄、材質、表面の艶等を異なるようにして、上部の化粧パネルと下部の化粧パネルとの間に境界ラインができ、さらに、横ライン形成パネルと上下の化粧パネルとの境界ラインを、横ライン形成パネルが化粧パネルから横方向に幅を持って突出した状態で形成し、境界ラインに陰影ができラインが引き立つため、他のキャビネットと幅を持った横のラインを合わせることができ、キャビネット全体の外観の意匠性を高めることができる。また、横ライン形成パネルを他のキャビネットと横のラインに合わせて上下方向に微調整ができ、施工状態に対応して横のライン合わせができ、意匠性の向上ができる。
【００１２】
【発明の実施の形態】
（実施形態１）
以後、本発明の実施形態１を、図を用いて説明する。
本発明の実施形態１における横ライン形成パネルと化粧パネルとの設備機器の扉前面への取付構造は、他のキャビネットの引出やガスレンジのラインと位置合わせするために、横ライン形成パネルを配設するものである。
図１は、本発明の実施形態１にして形成されたものである。
【００１３】
図１に示すように、キッチンキャビネット１間に設けられる食器洗い乾燥機２等の設備機器３の扉前面４に少なくとも１枚の横ライン形成パネル５を配設して、化粧パネル６とともに横ライン形成パネル５と化粧パネル６の側端部を枠体７で固着する。
【００１４】
食器洗い乾燥機２等の設備機器３は、食器洗い乾燥機２の他、冷蔵庫、ガスレンジ等カウンターの下部にビルドインされる設備機器で化粧パネル６で扉表面を他のキャビネットの面材と合わせる設備機器３である。
【００１５】
横ライン形成パネルと化粧パネルは、表面がＰＥＴやメラミン等の化粧シートで合板を基材としたものや、アクリル樹脂やポリカーボネート等の樹脂製や鉄やアルミニウム等の金属製の薄板で、キャビネットの扉や前板の面材と同じ仕様のものを、厚みが３ｍｍから５ｍｍ程度の薄板としたものが適する。
【００１６】
また、枠体はＡＢＳ樹脂等の合成樹脂製の押し出し品かアルミニウム等の金属製の押し出し品であっても良い。
【００１７】
図７に示すように、横ライン形成パネル５と化粧パネル６との設備機器３の扉前面４への取付方法は、食器洗い乾燥機２、冷蔵庫等の設備機器３の扉前面４への横ライン形成パネル５と化粧パネル６との取付は、扉を少し引き出し、枠体７の左右の４か所の左右取付ネジ１２を外し、下辺の３か所の下辺取付ネジ１３をゆるめて、枠体７を手前に引き外方向へ少し広がる状態にし、四角形状の化粧パネル６と横ライン形成パネル５とを枠体７と扉前面４の間に挿入し、枠体７の下方を持ち上げて、横ライン形成パネル５を扉上部の溝部にはさみ、左右４か所の左右取付ネジ１２と下辺取付ネジ１３で固着する。
【００１８】
以上の説明により、本実施形態１では、横ライン形成パネルと化粧パネルとの色柄、材質、表面の艶等を異なるようにして、横ライン形成パネルと化粧パネルとの間に境界ラインができ、他のキャビネットと横のラインを合わせることができ、キャビネット全体の外観の意匠性を高めることができる。
【００１９】
（実施形態２）
以後、本発明の実施形態２を、図を用いて説明する。
本発明の実施形態２における横ライン形成パネルと化粧パネルとの設備機器の扉前面への取付構造は、他のキャビネットの引出のラインと合わせるように、段違いの化粧パネルを設けるものである。
図２及び図３は、本発明の実施形態２にして形成されたものである。
【００２０】
横ライン形成パネル５本体の下端を除く周縁に一段下がった段部８を設けた横ライン形成パネル５と該横ライン形成パネル５の下端部に挿着される四角形状の化粧パネル６とを用い、設備機器３本体の扉の上部前板に横ライン形成パネル５の上段部を挿着し、且つ横ライン形成パネル５の下端部に化粧パネル６の上側端部を挿入するとともに、前記接続された横ライン形成パネル５と化粧パネル６の側端部を略Ｕ字状をした枠体７で挟持し設備機器３の扉前面４に固着する。
【００２１】
設備機器３本体の扉の上部前板に横ライン形成パネル５の上段部を挿着し、且つ横ライン形成パネル５の下端部に化粧パネル６の上側端部を挿入する横方向に連続する切欠部１１を設けているため、横ライン形成パネル５を上下方向に他のキャビネットの横ラインに合わせて微調整ができる。
【００２２】
食器洗い乾燥機２等の設備機器３は、食器洗い乾燥機２の他、冷蔵庫、ガスレンジ等カウンターの下部にビルドインされる設備機器で化粧パネル６で扉表面を他のキャビネットの面材と合わせる設備機器３である。
【００２３】
横ライン形成パネルと化粧パネルは、表面がＰＥＴやメラミン等の化粧シートで合板を基材としたものや、アクリル樹脂やポリカーボネート等の樹脂製や鉄やアルミニウム等の金属製の薄板で、キャビネットの扉や前板の面材と同じ仕様のものを、厚みが３ｍｍから５ｍｍ程度の薄板としたものが適する。
【００２４】
また、枠体はＡＢＳ樹脂等の合成樹脂製の押し出し品かアルミニウム等の金属製の押し出し品であっても良い。
【００２５】
横ライン形成パネル５と化粧パネル６との設備機器３の扉前面４への取付方法は、実施形態１と同じ取付方法による。
【００２６】
以上の説明により、本実施形態２では、横ライン形成パネルと化粧パネルとの境界ラインを、横ライン形成パネルが化粧パネルから突出した状態で形成し、境界ラインに陰影ができラインが引き立つため、他のキャビネットと横のラインをはっきりと合わせることができ、キャビネット全体の外観の意匠性を高めることができる。また、横ライン形成パネルを他のキャビネットと横のラインに合わせて上下方向に微調整ができ、施工状態に対応して横のライン合わせができ、意匠性の向上ができる。
【００２７】
（実施形態３）
以後、本発明の実施形態３を、図を用いて説明する。
本発明の実施形態３における横ライン形成パネルと化粧パネルとの設備機器の扉前面への取付構造は、他のキャビネットの引出の取っ手のラインと合わせるように、上下の化粧パネル間に段違いの帯状で横方向のラインを設けるものである。図４及至図６は、本発明の実施形態３にして形成されたものである。
【００２８】
横ライン形成パネル５本体の裏面側の上下側端部に横方向に連続する切欠部１１を設けた横ライン形成パネル５と該横ライン形成パネル５の上端部に挿着される四角形状の第１化粧パネル９と該横ライン形成パネル５の下端部に挿着される四角形状の第２化粧パネル１０とを用い、横ライン形成パネル５の上端部に第１化粧パネル９の下側端部を挿入し、且つ横ライン形成パネル５の下端部に第２化粧パネル１０の上側端部を挿入するとともに、前記接続された横ライン形成パネル５と第１化粧パネル９と第２化粧パネル１０との側端部を略Ｕ字状をした枠体７で挟持し設備機器３の扉前面４に固着する。
【００２９】
設備機器３本体の扉の上部前板に第１化粧パネル９の上段部を挿着し、且つ横ライン形成パネル５の上下側端部に化粧パネルの端部を挿入する横方向に連続する切欠部１１を設けているため、横ライン形成パネル５を上下方向に他のキャビネットの横ラインに合わせて微調整ができる。
【００３０】
食器洗い乾燥機２等の設備機器３は、食器洗い乾燥機２の他、冷蔵庫、ガスレンジ等カウンターの下部にビルドインされる設備機器で化粧パネル６で扉表面を他のキャビネットの面材と合わせる設備機器３である。
【００３１】
横ライン形成パネルと化粧パネルは、表面がＰＥＴやメラミン等の化粧シートで合板を基材としたものや、アクリル樹脂やポリカーボネート等の樹脂製や鉄やアルミニウム等の金属製の薄板で、キャビネットの扉や前板の面材と同じ仕様のものを、厚みが３ｍｍから５ｍｍ程度の薄板としたものが適する。横ライン形成パネルは、他のキャビネットの取っ手と同材質のものとする場合、木製や金属製となる。
【００３２】
また、枠体はＡＢＳ樹脂等の合成樹脂製の押し出し品かアルミニウム等の金属製の押し出し品であっても良い。
【００３３】
横ライン形成パネルと化粧パネルとの設備機器の扉前面への取付方法は、実施形態１と同様に、食器洗い乾燥機２、冷蔵庫等の設備機器３の扉前面４への化粧パネル６の取付は、扉を少し引き出し、枠体７の左右の４か所の左右取付ネジ１２を外し、下辺の３か所の下辺取付ネジ１３をゆるめて、枠体７を手前に引き外方向へ少し広がる状態にし、四角形状の第２化粧パネル１０と横ライン形成パネル５と第１化粧パネル９とを枠体７と扉前面４の間に挿入し、枠体７の下方を持ち上げて、第１化粧パネル９を扉上部の溝部にはさみ、左右４か所の左右取付ネジ１２と下辺取付ネジ１３で固着する。
【００３４】
以上の説明により、本実施形態３では、上部の第１化粧パネルと下部の第２化粧パネルとの色柄、材質、表面の艶等を異なるようにして、上部の化粧パネルと下部の化粧パネルとの間に境界ラインができ、さらに、横ライン形成パネルと上下の化粧パネルとの境界ラインを、横ライン形成パネルが化粧パネルから横方向に幅を持って突出した状態で形成し、境界ラインに陰影ができラインが引き立つため、他のキャビネットと幅を持った横のラインを合わせることができ、キャビネット全体の外観の意匠性を高めることができる。また、横ライン形成パネルを他のキャビネットと横のラインに合わせて上下方向に微調整ができ、施工状態に対応して横のライン合わせができ、意匠性の向上ができる。
【００３５】
【発明の効果】
以上の説明により、本発明の請求項１記載の横ライン形成パネルと化粧パネルとの設備機器の扉前面への取付構造によると、横ライン形成パネルと化粧パネルとの色柄、材質、表面の艶等を異なるようにして、横ライン形成パネルと化粧パネルとの間に境界ラインができ、他のキャビネットと横のラインを合わせることができ、キャビネット全体の外観の意匠性を高めることができる。
【００３６】
本発明の請求項２に記載の横ライン形成パネルと化粧パネルとの設備機器の扉前面への取付構造によると、横ライン形成パネルと化粧パネルとの境界ラインを、横ライン形成パネルが化粧パネルから突出した状態で形成し、境界ラインに陰影ができラインが引き立つため、他のキャビネットと横のラインをはっきりと合わせることができ、キャビネット全体の外観の意匠性を高めることができる。
【００３７】
本発明の請求項３に記載の横ライン形成パネルと化粧パネルとの設備機器の扉前面への取付構造によると、上部の第１化粧パネルと下部の第２化粧パネルとの色柄、材質、表面の艶等を異なるようにして、上部の化粧パネルと下部の化粧パネルとの間に境界ラインができ、さらに、横ライン形成パネルと上下の化粧パネルとの境界ラインを、横ライン形成パネルが化粧パネルから横方向に幅を持って突出した状態で形成し、境界ラインに陰影ができラインが引き立つため、他のキャビネットと幅を持った横のラインを合わせることができ、キャビネット全体の外観の意匠性を高めることができる。
【図面の簡単な説明】
【図１】本発明の実施形態１に係る横ライン形成パネルと化粧パネルとの設備機器の扉前面への取付構造を示し、（ａ）はキッチンキャビネット間でのライン形成状態を示す正面図で、（ｂ）は設備機器の扉前面を示す要部斜視図である。
【図２】本発明の実施形態２に係る横ライン形成パネルと化粧パネルとの設備機器の扉前面への取付構造を示す要部斜視図である。
【図３】本発明の実施形態２に係る横ライン形成パネルと化粧パネルとの設備機器の扉前面への取付構造を示し、（ａ）は化粧パネルの横ライン形成パネルへの挿入状態を示す要部正面図で、（ｂ）は要部側面図である。
【図４】本発明の実施形態３に係る横ライン形成パネルと化粧パネルとの設備機器の扉前面への取付構造を示す要部斜視図である。
【図５】本発明の実施形態３に係る横ライン形成パネルと化粧パネルとの設備機器の扉前面への取付構造を示し、キッチンキャビネット間でのライン形成状態を示す正面図である。
【図６】本発明の実施形態３に係る横ライン形成パネルと化粧パネルとの設備機器の扉前面への取付構造を示し、（ａ）は化粧パネルの横ライン形成パネルへの挿入状態を示す要部正面図で、（ｂ）は要部側面図である。
【図７】本発明の横ライン形成パネルと化粧パネルとの設備機器の扉前面への取付構造を示し、横ライン形成パネルと化粧パネルとを枠体で挟持し設備機器の扉前面に固着する状態を示す要部斜視図である。
【図８】従来の設備機器の扉前面への取付構造におけるキッチンキャビネット間でのライン形成状態を示す正面図である。
【図９】従来の設備機器の扉前面への取付構造を示す斜視図である。
【図１０】従来の設備機器の扉前面への化粧パネル取付状態を示す斜視図である。
【符号の説明】
１　　　キッチンキャビネット
２　　　食器洗い乾燥機
３　　　設備機器
４　　　扉前面
５　　　横ライン形成パネル
６　　　化粧パネル
７　　　枠体
８　　　段部
９　　　　第１化粧パネル
１０　　第２化粧パネル
１１　　切欠部
１２　　左右取付ネジ
１３　　下辺取付ネジ
【図１】
2004016604.tif 000003
【図２】
2004016604.tif 000004
【図３】
2004016604.tif 000005
【図４】
2004016604.tif 000006
【図５】
2004016604.tif 000007
【図６】
2004016604.tif 000008
【図７】
2004016604.tif 000009
【図８】
2004016604.tif 000010
【図９】
2004016604.tif 000011
【図１０】
2004016604.tif 000012